(57)【要約】      （修正有）【課題】弾性布により長さを調整し、異なるベッド及びドアー枠のサイズに適用し、安全性が良く、変化性が高い防護さく構造を提供する。【解決手段】フレーム１０及び弾性布２０を含み、フレームは複数の骨架１１を設け、弾性布が各骨架上に覆われ、フレームのそれぞれの骨架の間を張力のある弾性布で覆う。【選択図】図２
0003141442.tif 000002
【実用新案登録請求の範囲】
【請求項１】
複数本の骨架が設けられたフレームと、
前記各骨架上に覆われ、前記フレームのそれぞれの骨架の間に張力のある弾性布とを含むことを特徴とする、
防護さく構造。
【請求項２】
前記フレームのそれぞれの骨架の間に連設するためのコーナー部が設けられたことを特徴とする、請求項１に記載の防護さく構造。
【請求項３】
前記フレームの骨架にフレームを伸縮するための伸縮部が設けられ、下方の骨架の結合部に横方向の骨架が延出され、前記結合部にはさらに折り畳み部が設けられ、前記折り畳み部には結合ブロックが設けられ、前記結合ブロックと上方の骨架にはプルリングが連設され、前記骨架内にばねが設けられ、及びストッパとプルリングとが連設されて、立体的なベッド傍の防護さく構造を形成することを特徴とする、請求項１または２に記載の防護さく構造。
【請求項４】
前記フレームの一側の両端の骨架上にストッパが連設され、フレームの他の側の骨架上にも上下のストッパが連設され、前記フレームの上方のストッパにはプルリングがさらに連設され、ストッパを壁面に当接するように押え付けて、前記フレームの下方のストッパにはスライダがさらに連設され、該スライダにはばねが連設され、ストッパを付勢して壁面に摺動させ、立体的等アー傍の防護さく構造を形成することを特徴とする、請求項１または２に記載の防護さく構造。
【請求項５】
前記弾性布は弾性紗及びナイロンで編んで形成されることを特徴とする、請求項１に記載の防護さく構造。
【請求項６】
前記ナイロンは複数本の複合紗を交互に束ねて形成されることを特徴とする、請求項５に記載の防護さく構造。
【請求項７】
前記弾性紗及びナイロンの編みの割合は１５：８５で、前記割合の誤差値は、±２％であることを特徴とする、請求項５に記載の防護さく構造。
【請求項８】
前記弾性紗の直径（ダニ数）は、３０、４０、５５、７０のダニ数の何れか一つであることを特徴とする、請求項５に記載の防護さく構造。
【請求項９】
前記ナイロンの直径（ダニ数）は、３０、４０、５５、７０、１４０、２１０、２８０、５６０、８４０のダニ数の何れか一つであることを特徴とする、請求項５に記載の防護さく構造。
【請求項１０】
前記弾性布は編み織り法により作製されることを特徴とする、請求項５に記載の防護さく構造。
【請求項１１】
前記弾性布は、透気性を有するようにネット状に編んだことを特徴とする、請求項１または５に記載の防護さく構造。
【考案の詳細な説明】
【技術分野】
【０００１】
本考案は例えば家庭、幼稚園、介護施設等で使用される普通ベッド、介護ベッド、又は類似構造体に適用可能な防護さく構造に関し、より詳細にはフレーム及び弾性布の組み合わせにより、転落阻止用の障塀を構成して、安全で快適な効果を有する防護さく構造に関するものである。
【背景技術】
【０００２】
一般に、介護ベッドや幼児ベッドにおいて、病人または幼児がベッドから転落する事故を防止するために、ベッドサイドに防護さくを増設して病人または幼児を保護している。
従来の防護さくとしては、紐をネット状に編んで防護するもが多い。或いは、綿布やカーテン布等で防護さくを囲んで保護用の障塀を構成するものも知られている。
しかしながら、防護さくの効果において、材質の関係で風が通らない現象や、幼児が糸に好奇心を持って糸を引っ張ったりする等の潜在的な危険をもたらす。
また、防護さくに不用意に引っ掛って転んだり、また綿布やカーテン布等を使用すると、子供が引っ張って防護さくが倒されて子供に怪我をさせる危険もある。カーテン布や綿布等は、伸縮性及び張力がないため、外力による押付力を有効に無くすことができず、使用者を危険な環境中に巻き込み易いといった問題がある。
【０００３】
また、ドアから室外へ幼児が這い出すのを防ぐため、或いは、大人が子供を監視するため子供の遊技部屋のドアの傍に防護さくを設置する場合がある。
この種の防護さくは幼児や子供を保護するが、現在のドアの近傍に設ける防護さくも、例えば、紐や、綿布、カーテン布等の既述した素材と同一の材質が採用されているため、既述したように、幼児が糸に好奇心を持って糸を引っ張ったりして、潜在的な危険をもたらし、また、不用意に引っ掛けて転倒したり、または、綿布やカーテン布等を子供が引っ張って防護さくが倒れて子供に怪我をさせる危険や、カーテン布や綿布等に伸縮性及び張力がないため、外力による押付力を有効に無くすことができず、使用者を危険な環境に巻き込み易いといった問題がある。
【０００４】
そのため、前記した潜在的な危険要因を有する環境下に、子供や幼児をさらすことになり、大変危険であり、国外のニュース報道の中にも、親の不注意で子供や幼児が死傷した悲劇な報道がなされている。
【考案の開示】
【考案が解決しようとする課題】
【０００５】
本考案は以上の点に鑑みて、子供や幼児が前記のような危機に巻き込まれるのを防止して、安全で、快適な防護さく構造を提供するものである。
【０００６】
本考案の主な目的は、弾性布により長さを調整し、異なるベッド及びドアー枠のサイズに適用し、安全性が良く、変化性が高い防護さく構造を提供することである。
【０００７】
本考案の次の目的は、フレームのそれぞれの骨架の間に張力のある弾性布を形成し、外力で押えられた時に力を分散できて、全体の実用性を増加できる防護さく構造を提供することにある。
【０００８】
本考案の更なる目的は、弾性紗及びナイロンで編んでなる弾性布を有し、四方に引っ張られても裂き難く、実用性及び便利性を向上させる防護さく構造を提供することにある。
【０００９】
本考案の更なる目的は、吸水性が良く乾き易い弾性布と防護さくとが安全な阻止用の障塀を形成できる防護さく構造を提供することにある。
【課題を解決するための手段】
【００１０】
前記目的を達成するために、本考案は、フレーム及び弾性布を含み、前記フレームは複数の骨架を設け、前記弾性布が各骨架上に覆われ、フレームのそれぞれの骨架の間に張力のある弾性布を形成することによって、安全、快適な防護さく構造を形成する。
【００１１】
本願の第１考案は、複数本の骨架が設けられたフレームと、前記各骨架上に覆われ、前記フレームのそれぞれの骨架の間に張力のある弾性布とを含むことを特徴とする、防護さく構造を提供する。
本願の第２考案は、前記フレームのそれぞれの骨架の間に連設するためのコーナー部が設けられたことを特徴とする、前記第１考案に記載の防護さく構造を提供する。
本願の第３考案は、前記フレームの骨架にフレームを伸縮するための伸縮部が設けられ、下方の骨架の結合部に横方向の骨架が延出され、前記結合部にはさらに折り畳み部が設けられ、前記折り畳み部には結合ブロックが設けられ、前記結合ブロックと上方の骨架にはプルリングが連設され、前記骨架内にばねが設けられ、及びストッパとプルリングとが連設されて、立体的なベッド傍の防護さく構造を形成することを特徴とする、前記第１考案または第２考案に記載の防護さく構造を提供する。
本願の第４考案は、前記フレームの一側の両端の骨架上にストッパが連設され、フレームの他の側の骨架上にも上下のストッパが連設され、前記フレームの上方のストッパにはプルリングがさらに連設され、ストッパを壁面に当接するように押え付けて、前記フレームの下方のストッパにはスライダがさらに連設され、該スライダにはばねが連設され、ストッパを付勢して壁面に摺動させ、立体的等アー傍の防護さく構造を形成することを特徴とする、前記第１考案または第２考案に記載の防護さく構造を提供する。
本願の第５考案は、前記弾性布は弾性紗及びナイロンで編んで形成されることを特徴とする、前記第１考案に記載の防護さく構造を提供する。
本願の第６考案は、前記ナイロンは複数本の複合紗を交互に束ねて形成されることを特徴とする、前記第５考案に記載の防護さく構造を提供する。
本願の第７考案は、前記弾性紗及びナイロンの編みの割合は１５：８５で、前記割合の誤差値は、±２％であることを特徴とする、前記第５考案に記載の防護さく構造を提供する。
本願の第８考案は、前記弾性紗の直径（ダニ数）は、３０、４０、５５、７０のダニ数の何れか一つであることを特徴とする、前記第５考案に記載の防護さく構造を提供する。
本願の第９考案は、前記ナイロンの直径（ダニ数）は、３０、４０、５５、７０、１４０、２１０、２８０、５６０、８４０のダニ数の何れか一つであることを特徴とする、前記第５考案に記載の防護さく構造を提供する。
本願の第１０考案は、前記弾性布は編み織り法により作製されることを特徴とする、前記第５考案に記載の防護さく構造を提供する。
本願の第１１考案は、前記弾性布は、透気性を有するようにネット状に編んだことを特徴とする、前記第１考案または第５考案に記載の防護さく構造を提供する。
【考案の効果】
【００１２】
本考案は以下のような利点がある。
（１）フレームのそれぞれの骨架の間に弾性布を連設し、弾性布が四方への張力を有し、より好ましい延伸性を有しかつ裂きにくい特性を備えるため、外力で押えられた時に弾性布を構成する弾性紗が力を分散できる防護さくが得られ、安全で、快適になるといった効果を得られる。
（２）フレームの下方の骨架の結合部に横方向の骨架が延び出されていることにより、敷きマットの下方に置いて、子供や老人が転んだりすることを防ぎ、安全で、快適なベッド傍の防護さく構造を提供することができる。
（３）フレームの骨架の傍にストッパを連設した。本考案の防護さく構造をドアー枠内に置くことによって、子供や幼児が歩いたり這い出して室外へ出ることを防いで、安全で、快適なベッド傍の防護さく構造を提供することができる。
（４）弾性布の弾性に合わせて調整できるとともに、フレームの長さを設置場所に応じて伸縮調整できるから、使用できる範囲が広くなり、実用性及び進歩性に優れている。
【考案を実施するための最良の形態】
【００１３】
添付した図面を参照しながら、本考案の特徴及び具体的な実施例について詳しく説明する。
【００１４】
図１、図２に示すように、本考案による防護さく構造は、フレーム１０及び弾性布２０を含む。
該フレーム１０は複数本の骨架１１を具備する。該フレーム１０のそれぞれの骨架１１の間には、骨架１１と骨架１１の間の連接のためのコーナー部３０が設けられる。
弾性布２０は各骨架１１上に覆われる。フレーム１０のそれぞれの骨架１１の間に張力のある弾性布２０を設けることによって、安全で快適な防護さくを得ることができる。
【００１５】
弾性布２０は弾性紗、及びナイロンで編成されている。
弾性紗は１本の方式で、ナイロンは一般のいわゆる複合紗である。複数本の複合紗を交互に束ねて形成する。
本実施例では、２４本の複合紗を交互に束ねて形成するものである。
該弾性紗及びナイロンの編みの割合は１５：８５で、該割合の誤差値は、±２％である。
弾性紗の直径（ダニ数）は、３０、４０、５５、７０のダニ数の何れか一つである。
該ナイロンの直径（ダニ数）は、３０、４０、５５、７０、１４０、２１０、２８０、５６０、８４０のダニ数の何れか一つである。
該弾性布２０は上記の材質を用いて編み織り法により作製する。
編み織り法は左右に横移動の動作で編んでいるため、本弾性布が四方への張力があり、より好ましい延伸性を有し、かつ裂き難い特性を持っている。
弾性布２０にナイロン成分があるため、弾性布２０は吸水に対して強く乾き易い特性を有する。
また、弾性布２０の他の織法としては、平織法で交互に束ねて形成してもよい。平織法は経緯両方向に交互に束ねて形成する。
また、弾性布２０は、ネット状に編む態様（図示せず）であってもよい。ネット状に編成すると通気性をより良好にすることができる。
【００１６】
図３及び図４は、本考案に係る第１実施例の応用例で、ベッドから子供や老人が身を転回して転落するのを防ぐために、防護さくをベッドに適用した例を示す。
防護さく構造は、フレーム１０及び弾性布２０を含む。該フレーム１０は複数本の骨架１１を設け、該フレーム１０のそれぞれの骨架１１の間に、骨架１１と骨架１１の間の連接のためのコーナー部３０が設けられる。該フレーム１０の骨架１１のうちにフレーム１０を伸縮するための伸縮部４０が設けられる。下方の骨架１１の結合部には横方向の骨架１１が延び出される。結合部にはさらに折り畳み部１２が設けられる。折り畳み部１２には結合ブロック１２１が設けられる。該結合ブロック１２１と上方の骨架１１にはプルリング１２２が連設される。該骨架１１内にばね１１１が設けられる。ストッパ１１２とプルリング１２２とが連設される。プルリング１２２を上方向に押し上げて結合ブロック１２１から離脱されることにより、横方向の骨架１１が曲折して収納できるようになる。コーナー部３０と骨架１１及び折り畳み部１２とで立体的なベッド傍の防護さく構造を組立る（図３）。
弾性布２０が各骨架１１上に覆われ、フレーム１０のそれぞれの骨架１１の間に張力のある弾性布２０を形成する。弾性布２０は四方への張力がある。より好ましくは延伸性を有し、かつ裂き難い特性を備える。弾性布２０のうちナイロン成分があるため、弾性布２０が吸水性が強く乾き易い特性を有する。また、該弾性布２０は、ネット状に編む態様（図示せず）であっても良く、良好な透気性を有するようになる。
下方の骨架１１の結合部に横方向の骨架１１が延び出され、敷きマット５０の下方に置かれることによって（図４に示すように）、安全、快適なベッド傍の防護さく構造を提供できる。
【００１７】
図５及び図６は、本考案による第２実施例で、子供や幼児が歩いたり這い出したりして室外へ出ることを防ぐためにドアーの傍に適用した防護さく構造の応用例を示す。
本例に係る防護さく構造は、フレーム１０及び弾性布２０を含む。該フレーム１０は複数本の骨架１１を設ける。該フレーム１０のそれぞれの骨架１１の間に、骨架１１と骨架１１の間の連接のためのコーナー部３０が設けられる。該フレーム１０の一側の両端の骨架１１上にストッパ６０が連設される。フレーム１０の他の側の骨架１１上にも上下のストッパ６０が連設される。該フレーム１０の上方のストッパ６０にもプルリング６１がさらに連設される。ストッパ６０は壁面に当接するように押え付ける。該フレーム１０の下方のストッパ６０にはスライダ６２がさらに連設される。該スライダ６２にはばね６３が連設される。ストッパ６０を付勢して壁面に摺動させ、コーナー部３０と骨架１１及びストッパ６０とでドアー枠の防護さく構造を組立る（図５）。
弾性布２０が各骨架１１上に覆われる。フレーム１０のそれぞれの骨架１１の間に張力のある弾性布２０を形成する。弾性布２０が四方への張力がある。より好ましい延伸性を有し、かつ裂き難い特性を備える。弾性布２０のうちナイロン成分があるため、弾性布２０が吸水性が強く乾き易い特性を有する。また、弾性布２０は、ネット状に編む態様（図示せず）であっても良く、良好な透気性を有するようになる。フレーム１０の骨架１１の傍にもストッパ６０が連設されるため、本考案の防護さく構造がドアー枠７０内に置かれることによって（図６）、安全で、快適な防護さく構造を提供することができる。
【００１８】
以上の記載は単に本考案の好ましい実施例の記載に過ぎず、本考案の特徴を限定するものではなく、当該分野における通常の知識を有する者が、適宜行なう変更や修飾等も本考案に含まれることは勿論である。
【図面の簡単な説明】
【００１９】
【図１】本考案に係る実施例の斜視外観図である。
【図２】本考案に係る実施例の素子分解図である。
【図３】本考案に係る第１実施例の斜視外観図である。
【図４】本考案に係る第１実施例の使用状態を示す図である。
【図５】本考案に係る第２実施例の斜視外観図である。
【図６】本考案に係る第２実施例の使用状態を示す図である。
【符号の説明】
【００２０】
１０・・・・・・フレーム
２０・・・・・・弾性布
１１・・・・・・骨架
１１１・・・・・ばね
１１２・・・・・ストッパ
１２・・・・・・折り畳み部
１２１・・・・・結合ブロック
１２２・・・・・プルリング
２０・・・・・・弾性布
３０・・・・・・コーナー部
４０・・・・・・伸縮部
５０・・・・・・敷きマット
６０・・・・・・ストッパ
６１・・・・・・プルリング
６２・・・・・・スライダ
６３・・・・・・ばね
７０・・・・・・ドアー枠
【図１】
0003141442.tif 000003
【図２】
0003141442.tif 000004
【図３】
0003141442.tif 000005
【図４】
0003141442.tif 000006
【図５】
0003141442.tif 000007
【図６】
0003141442.tif 000008
【手続補正書】
【提出日】平成20年3月3日(2008.3.3)
【手続補正１】
【補正対象書類名】実用新案登録請求の範囲
【補正対象項目名】請求項８
【補正方法】変更
【補正の内容】
【請求項８】
前記弾性紗の直径（デニール数）は、３０Ｄ、４０Ｄ、５５Ｄ、７０Ｄの何れか一つであることを特徴とする、請求項５に記載の防護さく構造。
【手続補正２】
【補正対象書類名】実用新案登録請求の範囲
【補正対象項目名】請求項９
【補正方法】変更
【補正の内容】
【請求項９】
前記ナイロンの直径（デニール数）は、３０Ｄ、４０Ｄ、５５Ｄ、７０Ｄ、１４０Ｄ、２１０Ｄ、２８０Ｄ、５６０Ｄ、８４０Ｄの何れか一つであることを特徴とする、請求項５に記載の防護さく構造。
【手続補正３】
【補正対象書類名】明細書
【補正対象項目名】００１１
【補正方法】変更
【補正の内容】
【００１１】
本願の第１考案は、複数本の骨架が設けられたフレームと、前記各骨架上に覆われ、前記フレームのそれぞれの骨架の間に張力のある弾性布とを含むことを特徴とする、防護さく構造を提供する。
本願の第２考案は、前記フレームのそれぞれの骨架の間に連設するためのコーナー部が設けられたことを特徴とする、前記第１考案に記載の防護さく構造を提供する。
本願の第３考案は、前記フレームの骨架にフレームを伸縮するための伸縮部が設けられ、下方の骨架の結合部に横方向の骨架が延出され、前記結合部にはさらに折り畳み部が設けられ、前記折り畳み部には結合ブロックが設けられ、前記結合ブロックと上方の骨架にはプルリングが連設され、前記骨架内にばねが設けられ、及びストッパとプルリングとが連設されて、立体的なベッド傍の防護さく構造を形成することを特徴とする、前記第１考案または第２考案に記載の防護さく構造を提供する。
本願の第４考案は、前記フレームの一側の両端の骨架上にストッパが連設され、フレームの他の側の骨架上にも上下のストッパが連設され、前記フレームの上方のストッパにはプルリングがさらに連設され、ストッパを壁面に当接するように押え付けて、前記フレームの下方のストッパにはスライダがさらに連設され、該スライダにはばねが連設され、ストッパを付勢して壁面に摺動させ、立体的等アー傍の防護さく構造を形成することを特徴とする、前記第１考案または第２考案に記載の防護さく構造を提供する。
本願の第５考案は、前記弾性布は弾性紗及びナイロンで編んで形成されることを特徴とする、前記第１考案に記載の防護さく構造を提供する。
本願の第６考案は、前記ナイロンは複数本の複合紗を交互に束ねて形成されることを特徴とする、前記第５考案に記載の防護さく構造を提供する。
本願の第７考案は、前記弾性紗及びナイロンの編みの割合は１５：８５で、前記割合の誤差値は、±２％であることを特徴とする、前記第５考案に記載の防護さく構造を提供する。
本願の第８考案は、前記弾性紗の直径（デニール数）は、３０Ｄ、４０Ｄ、５５Ｄ、７０Ｄの何れか一つであることを特徴とする、前記第５考案に記載の防護さく構造を提供する。
本願の第９考案は、前記ナイロンの直径（デニール数）は、３０Ｄ、４０Ｄ、５５Ｄ、７０Ｄ、１４０Ｄ、２１０Ｄ、２８０Ｄ、５６０Ｄ、８４０Ｄの何れか一つであることを特徴とする、前記第５考案に記載の防護さく構造を提供する。
前記ナイロンの直径（請求項５に記載の防護さく構造。
本願の第１０考案は、前記弾性布は編み織り法により作製されることを特徴とする、前記第５考案に記載の防護さく構造を提供する。
本願の第１１考案は、前記弾性布は、透気性を有するようにネット状に編んだことを特徴とする、前記第１考案または第５考案に記載の防護さく構造を提供する。
【手続補正４】
【補正対象書類名】明細書
【補正対象項目名】００１５
【補正方法】変更
【補正の内容】
【００１５】
弾性布２０は弾性紗、及びナイロンで編成されている。
弾性紗は１本の方式で、ナイロンは一般のいわゆる複合紗である。複数本の複合紗を交互に束ねて形成する。
本実施例では、２４本の複合紗を交互に束ねて形成するものである。
該弾性紗及びナイロンの編みの割合は１５：８５で、該割合の誤差値は、±２％である。
弾性紗の直径（デニール数）は、３０Ｄ、４０Ｄ、５５Ｄ、７０Ｄの何れか一つである。
ナイロンの直径（デニール数）は、３０Ｄ、４０Ｄ、５５Ｄ、７０Ｄ、１４０Ｄ、２１０Ｄ、２８０Ｄ、５６０Ｄ、８４０Ｄの何れか一つである。
該弾性布２０は上記の材質を用いて編み織り法により作製する。
編み織り法は左右に横移動の動作で編んでいるため、本弾性布が四方への張力があり、より好ましい延伸性を有し、かつ裂き難い特性を持っている。
弾性布２０にナイロン成分があるため、弾性布２０は吸水に対して強く乾き易い特性を有する。
また、弾性布２０の他の織法としては、平織法で交互に束ねて形成してもよい。平織法は経緯両方向に交互に束ねて形成する。
また、弾性布２０は、ネット状に編む態様（図示せず）であってもよい。ネット状に編成すると通気性をより良好にすることができる。